(57)【要約】【課題】清掃を容易に行える浴室用ラックを提供する。【解決手段】浴室用ラックが、物品を挿入する開口枠と、開口枠に支持されかつ物品を載置可能な底部と、下端部が底部より下方に配置される脚部と、浴室内の構造物に脱着自在に取り付けられる装着部と、を備え、底部は互いに間隔を空けて配列された複数の線材により形成され、底部における線材の一端側及び他端側が上方に立ち上がるとともに、底部において線材同士が交差しないように設けられている。【選択図】図１
2018161199.tif 000002
【特許請求の範囲】
【請求項１】
物品を挿入する開口枠と、前記開口枠に支持されかつ物品を載置可能な底部と、下端部が前記底部より下方に配置される脚部と、浴室内の構造物に脱着自在に取り付けられる装着部と、を備え、
前記底部は互いに間隔を空けて配列された複数の線材により形成され、前記底部における前記線材の一端側及び他端側が上方に立ち上がるとともに、前記底部において前記線材同士が交差しないように設けられている、
浴室用ラック。
【請求項２】
前記底部は、前記開口枠の対向する辺において複数箇所から前記線材を下方に掛け渡して形成されるとともに、前記線材の一端側から他端側まで前記線材同士が交差しないように設けられている、
請求項１に記載の浴室用ラック。
【請求項３】
前記脚部は、前記開口枠から下方へと延びる線材で形成され、前記脚部の前記線材と前記底部の前記線材とが互いに交差しないように設けられている、
請求項１又は２に記載の浴室用ラック。
【請求項４】
前記脚部は、前記開口枠の対向する辺から下方へと前記線材を掛け渡して形成され、
前記脚部の下端部と前記底部との間には空間を有し、
前記装着部が浴室の構造物に取り付けられて、前記脚部が床面から浮いた状態にて、前記空間が、挿入された物品を前記脚部に引っ掛けて収納するための空間として機能する、
請求項３に記載の浴室用ラック。
【請求項５】
前記脚部は、前記開口枠の左右方向に対向する辺において前記線材を掛け渡して形成され、前記線材の掛け渡し位置は、前記開口枠の前方側側面から所定距離後方に配置されている、
請求項４に記載の浴室用ラック。
【発明の詳細な説明】
【技術分野】
【０００１】
本発明は、浴室用ラックに関する。
【背景技術】
【０００２】
従来の浴室用ラックには、例えば、特許文献１に記載されているものが知られている。特許文献１には、線材で形成され、浴室の壁面に着脱自在に構成された浴室用ラックが記載されている。
【先行技術文献】
【特許文献】
【０００３】
【特許文献１】特開２００５−１９２８４９号公報
【発明の概要】
【発明が解決しようとする課題】
【０００４】
浴室用ラックは、水などがかかりやすい浴室内で使用されるため、水垢などの汚れが付きやすい。このため、清掃しやすい浴室用ラックが好ましいが、従来の浴室用ラックによれば、清掃を容易に行うという観点において、未だ改善の余地がある。
【０００５】
本発明の目的は、上記課題を解決することにあって、清掃を容易に行える浴室用ラックを提供することにある。
【課題を解決するための手段】
【０００６】
上記目的を達成するために、本発明の浴室用ラックは、物品を挿入する開口枠と、前記開口枠に支持されかつ物品を載置可能な底部と、下端部が前記底部より下方に配置される脚部と、浴室内の構造物に脱着自在に取り付けられる装着部と、を備え、前記底部は互いに間隔を空けて配列された複数の線材により形成され、前記底部における前記線材の一端側及び他端側が上方に立ち上がるとともに、前記底部において前記線材同士が交差しないように設けられていることを特徴とする。
【発明の効果】
【０００７】
本発明によれば、清掃を容易に行える浴室用ラックを提供することができる。
【図面の簡単な説明】
【０００８】
【図１】本発明の実施形態にかかる浴室用ラックを壁面に取り付けた際の概略図
【図２】本発明の実施形態にかかる浴室用ラックを壁面に取り付ける前の概略図
【図３】物品を引っ掛けて収納した浴室用ラックの側面図
【発明を実施するための形態】
【０００９】
以下に、本発明にかかる実施形態を図面に基づいて詳細に説明する。なお、以下の記載において、前後方向（Ｘ方向）は、壁面１０から遠ざかる向きを前、壁面１０へ近づく向きを後とし、左右方向（Ｙ方向）は、壁面１０に沿った水平方向とし、上下方向（Ｚ方向）は壁面１０に沿った垂直方向とする。
【００１０】
図１は、実施形態にかかる浴室用ラック２０を壁面１０に取り付けた際の概略図である。
【００１１】
図１に示すように、壁面１０に取り付けられた水栓１１の下方には、カウンター１２と、浴室用ラック２０と、が設けられている。カウンター１２及び浴室用ラック２０は壁面１０に設けられ、浴室用ラック２０はカウンター１２の隣に配置される。カウンター１２は、水栓１１からの吐水を貯める洗面桶などを置くことができ、浴室用ラック２０は、シャンプーボトルなどの物品を収納することができる。
【００１２】
図２は、実施形態にかかる浴室用ラック２０を壁面１０に取り付ける前の概略図である。図３は、物品４０を引っ掛けて収納した浴室用ラック２０の側面図である。図２及び図３に示すように、浴室用ラック２０は、収納部２１と、脚部２２と、を備える。
【００１３】
収納部２１は、上面に開口部分を有する有底容器であり、物品を挿入する開口枠２３と、開口枠２３に支持される容器部２４と、を備える。
【００１４】
開口枠２３は、収納部２１の上面の開口部分を画定する概ね四角形状の枠体である。開口枠２３の前後方向（Ｘ方向）の奥行き、左右方向（Ｙ方向）の幅は、例えば、それぞれ２８５ｍｍ、１６５ｍｍである。開口枠２３には、壁面１０側の辺において、切欠きである装着部２６が設けられ、壁面１０には、前方に突出する突起２７が設けられる。開口枠２３の装着部２６と、壁面１０の突起２７と、が係り合うことで、浴室用ラック２０が壁面１０に脱着自在に取り付けられる。
【００１５】
容器部２４は、物品を載置可能な底部２８と、開口枠２３と底部２８とを接続する側部２９と、を備える。具体的には、容器部２４は、開口枠２３の前後方向（Ｘ方向）に対向する辺において複数箇所から線材２５を下方に掛け渡して形成されている。
【００１６】
底部２８は、左右方向（Ｙ方向）に互いに一定の間隔を空けて配列され、かつ前後方向（Ｘ方向）に延びる複数の線材２５により形成されている。また、底部２８における線材２５の前後方向（Ｘ方向）の一端側及び他端側は上方に立ち上がるとともに、線材２５同士が交差しないように設けられる。
【００１７】
側部２９は、前方側部と後方側部とを有し、底部２８における線材２５の立ち上がり部分から開口枠２３まで至るように上下方向（Ｚ方向）に延びる線材２５により形成されている。前方側部及び後方側部において、線材２５同士が交差しないように設けられる。
【００１８】
脚部２２は、開口枠２３から下方へと延びる線材３０で形成され、脚部２２の線材３０と底部２８の線材２５とは互いに交差しないように設けられている。脚部２２は、前方脚部３３と、後方脚部３４と、を備える。
【００１９】
前方脚部３３は、開口枠２３の左右方向（Ｙ方向）に対向する辺から下方へと線材３１を掛け渡して形成される。すなわち、線材３１は、開口枠２３の左右方向（Ｙ方向）に対向する辺におけるそれぞれの掛け渡し位置３６より下方に延び、互いの下端部が接続されるように左右方向（Ｙ方向）に線材３１が延びることにより、前方脚部３３が形成される。
【００２０】
前方脚部３３の下端部は、収納部２１の底部２８よりも下方に設けられ、前方脚部３３の下端部と収納部２１の底部２８との間には空間３５が形成される。装着部２６が壁面１０に取り付けられた際、前方脚部３３が床面から浮いた状態で、スプレーなどの物品４０を、空間３５に挿入して前方脚部３３に引っ掛けて収納することができる。前方脚部３３に物品４０を引っ掛けるために、空間３５は物品４０を挿入可能な高さを有する。空間３５の高さは、例えば、６０ｍｍ以上に設定される。また、物品４０を前方脚部３３に引っ掛けて収納した際、物品４０が、開口枠２３の前方側側面より前方にはみ出さないようにするために、掛け渡し位置３６は、開口枠２３の前方側側面から所定距離（Ｌ）後方で形成される。所定距離（Ｌ）は、例えば、７０ｍｍ〜８０ｍｍで設定される。
【００２１】
後方脚部３４は、開口枠２３における後方側の左右の隅から下方へと線材３２を掛け渡して形成される。後方脚部３４は、浴室用ラック２０の強度を向上させるために、第１補強部３７と第２補強部３８とを備える。第１補強部３７は、後方脚部３４の左右の下端がそれぞれ、掛け渡し位置３６よりも後方に位置する左右の連結部３９を結ぶように形成される。第２補強部３８は、後方脚部３４の壁面１０側を左右方向（Ｙ方向）に繋ぐように設けられる。
【００２２】
本実施形態の浴室用ラック２０によれば、物品を挿入する開口枠２３と、開口枠２３に支持されかつ物品を載置可能な底部２８と、下端部が底部２８より下方に配置される脚部２２と、浴室内の構造物に脱着自在に取り付けられる装着部２６と、を備える。底部２８は互いに間隔を空けて配列された複数の線材２５により形成され、底部２８における線材２５の一端側及び他端側が上方に立ち上がるとともに、底部２８において線材２５同士が交差しないように設けられている。
【００２３】
この構成によれば、浴室用ラック２０を壁面１０に対して脱着が自在に行える。また、底部２８において、線材２５の一端側及び他端側を上方に立ち上げるとともに、線材２５同士が交差しないようにすることで、線材２５同士が交差する箇所をなくすことができるため、底部２８の清掃を容易に行うことができる。さらに、下端部が底部２８より下方に配置される脚部２２を設けることで、浴室用ラック２０を突起２７から外して床面に置いて使用することができる。また、浴室用ラック２０を床面に置いて使用する場合であっても、底部２８が床面から離れているため、底部２８及び底部２８に載置した物品が汚れるのを防ぐことができる。
【００２４】
また、本実施形態では、底部２８は、開口枠２３の対向する辺において複数箇所から線材２５を下方に掛け渡して形成されるとともに、線材２５の一端側から他端側まで線材２５同士が交差しないように設けられている。
【００２５】
この構成によれば、底部２８だけでなく側部２９においても、線材２５同士が交差する箇所をなくすことができる。このため、側部２９においても清掃を容易に行うことができる。
【００２６】
また、本実施形態では、脚部２２は、開口枠２３から下方へと延びる線材３０で形成され、脚部２２の線材３０と底部２８の線材２５とが互いに交差しないように設けられている。
【００２７】
この構成によれば、脚部２２を、脚部２２の線材３０と底部２８の線材２５とが互いに交差しないように設けることで、脚部２２と底部２８とが交差する箇所をなくすことができるため、底部２８の清掃を容易に行うことができる。
【００２８】
また、本実施形態では、脚部２２は、開口枠２３の対向する辺から下方へと線材３１を掛け渡して形成され、脚部２２の下端部と底部２８との間には空間３５を有する。装着部２６が浴室の構造物に取り付けられて、脚部２２が床面から浮いた状態にて、空間３５が、挿入された物品４０を脚部２２に引っ掛けて収納するための空間として機能する。
【００２９】
この構成によれば、脚部２２を、下端部と底部２８との間に空間３５を有するように、開口枠２３の対向する辺から下方へと線材３１を掛け渡して形成することで、脚部２２に物品４０を引っ掛けて収納することができるため、収納力を向上させることができる。
【００３０】
また、本実施形態では、脚部２２は、開口枠２３の左右方向（Ｙ方向）に対向する辺において線材３１を掛け渡して形成され、線材３１の掛け渡し位置は、開口枠２３の前方側側面から所定距離（Ｌ）後方に配置されている。
【００３１】
この構成によれば、脚部２２を、開口枠２３の前方側側面から所定距離（Ｌ）後方に設けることで、脚部２２に引っ掛けた物品４０が、開口枠２３の前方側側面より前方にはみ出さず、すっきり収納することができる。
【００３２】
なお、本発明は前記実施形態に限定されるものではなく、その他種々の態様で実施できる。例えば、前記実施形態では、カウンター１２及び浴室用ラック２０は、壁面１０に設けられ、浴室用ラック２０は、カウンター１２の隣に配置されるとしたが、浴室用ラック２０は、壁面１０以外の浴室内の構造物に取り付けられてもよい。例えば、浴室用ラック２０の左右方向（Ｙ方向）の側面に装着部２６を設け、カウンター１２の左右方向（Ｙ方向）の側面に突起２７を設け、浴室用ラック２０をカウンター１２に取り付けてもよい。
【００３３】
また、前記実施形態では、開口枠２３の壁面１０側の辺には、装着部２６が設けられ、壁面１０には前方に突出する突起２７が設けられるとしたが、浴室用ラック２０が壁面１０などに脱着自在に固定される構成であれば、他の構成であってもよい。例えば、浴室用ラック２０に吸盤を設け、浴室用ラック２０と壁面１０などを吸盤により固定を行ってもよい。
【００３４】
また、前記実施形態では、容器部２４は、開口枠２３の前後方向（Ｘ方向）に対向する辺において複数箇所から線材２５を下方に掛け渡して形成されるとしたが、他の構成であってもよい。底部２８が線材２５で形成され、底部２８における線材２５の一端側及び他端側が上方に立ち上がるとともに、線材２５同士が交差しないように設けられれば、様々な構成を採用してもよい。
【００３５】
また、前記実施形態では、線材２５は左右方向（Ｙ方向）に互いに一定の間隔を空けて配列されているとしたが、線材２５同士が交差しないように間隔を空けて配置されていればよく、一定の間隔で配列さなくてもよい。
【００３６】
また、前記実施形態では、脚部２２は、開口枠２３から下方へと延びる線材３０で形成されるとしたが、脚部２２の下端部が収納部２１の底部２８より下方に配置されれば、他の構成であってもよい。例えば、収納部２１の底部２８において、複数の線材２５の一部を下方に湾曲させて脚部２２を形成してもよい。
【００３７】
また、壁面１０との接触時の衝撃などを和らげるために、浴室用ラック２０の壁面１０側の部材（例えば、側部２９の後方側部及び後方脚部３４）には、緩衝材４１が取り付けられてもよい。
【００３８】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲及び思想を逸脱することなく実現し得るものである。
【産業上の利用可能性】
【００３９】
本発明は、清掃を容易に行える浴室用ラックの製造に有用である。
【符号の説明】
【００４０】
１０  壁面
１１  水栓
１２  カウンター
２０  浴室用ラック
２１  収納部
２２  脚部
２３  開口枠
２４  容器部
２５  線材
２６  装着部
２７  突起
２８  底部
２９  側部
３０  線材
３１  線材
３２  線材
３３  前方脚部
３４  後方脚部
３５  空間
３６  掛け渡し位置
３７  第１補強部
３８  第２補強部
３９  連結部
４０  物品
４１  緩衝材
【図１】
2018161199.tif 000003
【図２】
2018161199.tif 000004
【図３】
2018161199.tif 000005